(57)【要約】【課題】ユーザが無線タグへ情報読取書込装置を近づけていく方向に最も強い磁界が発生するような情報読取書込装置を提供する。【解決手段】携帯型の筐体と、前記筐体内に筐体の長手方向の端部近傍に設け、無線タグと通信を行うアンテナとを有し、前記アンテナは導体を前記筐体の長手方向に巻回して構成したものである。そして、アンテナは筐体の端面と略平行に配置し、筐体に照明部を備え、アンテナと磁気結合し、照明部に電力を供給する導体を備えている。上記構成により、アンテナが設けられた側の短辺の中心付近が、最も強い磁界を発生することができるとともに、無線タグが存在する周辺を照射することができる。【選択図】  図１
2004171348.tif 000002
【特許請求の範囲】
【請求項１】
携帯型の筐体と、前記筐体内に筐体の長手方向の端部近傍に設け、無線タグと通信を行うアンテナとを有し、前記アンテナは導体を前記筐体の長手方向に巻回して構成した情報読取書込装置。
【請求項２】
アンテナは筐体の端面と略平行に配置した請求項１記載の情報読取書込装置。
【請求項３】
筐体に照明部を備えた請求項１または２記載の情報読取書込装置。
【請求項４】
アンテナと磁気結合し、照明部に電力を供給する導体を備えた請求項３記載の情報読取書込装置。
【請求項５】
照明部は、筐体のアンテナが設けられた側の端部に設けた請求項３または４記載の情報読取書込装置。
【発明の詳細な説明】
【０００１】
【発明の属する技術分野】
本発明は無線タグのデータを読み取る情報読取書込装置に関するものである。
【０００２】
【従来の技術】
無線タグは、各種の情報を内蔵の不揮発性メモリに記憶させることができ、そのメモリの内容は、情報読取書込装置により読み取りだけでなく、書き換えが可能である。したがって、無線タグは、人物の入退室管理や、物流における物品管理などさまざまな用途に応用されることが期待されている。そして、用途の拡大に応じて情報読取書込装置にも、手持ちが可能なものも必要となってきている。
【０００３】
図６は、従来の手持ち型の情報読取書込装置における構成を示すブロック図である。情報読取書込装置２０は図６に示すように、各部へ電源を供給する電源部７と、電源部７に電源を投入するトリガスイッチ８と、ホストとの通信を行うＨＯＳＴ  Ｉ／Ｆ部９と、情報読取書込装置２０の各種制御を行う制御部１０と、制御部１０で発生した送信信号により変調を行う送信部１１と、送信部１１で発生した変調信号を電波として無線タグ１４へ発射し、さらに無線タグ１４から発射された電波を受信する、導体２２ａを巻回したアンテナ２２と、アンテナ２２で受信した無線タグ１４からの受信電波を検波し復調する受信部１２とを備え、受信部１２で復調された受信データは制御部１０で処理される。
【０００４】
図７は、従来の手持ち型の情報読取書込装置における筐体を示す図である。図６に示す情報読取書込装置２０は図７に示す筐体２１内に内蔵されているものとする。図７ではその内蔵されている構成物のうち、アンテナ２２とトリガスイッチ８のみの位置を図示してある。
【０００５】
また、情報を読み取るものではないが、電話機から電力の供給を受けて電話機と非接触で通信を行うもので、内部にアンテナを有するテレフォンペンが知られている（例えば特許文献１参照）。
【０００６】
図３はアンテナの指向性を示した図である。図３に示すようにアンテナ３０の導体３０ａが巻回されている方向に対して、アンテナの中心部分で発生する磁界が弱くなる。図８は従来の手持ち型の情報読取書込装置における通信エリアを示す。図３に示すアンテナの指向性から明らかなように、図８に示す情報読取書込装置２０では、筐体２１のアンテナ２２が設けられた側の短辺の中心付近は、前記短辺の両端より、通信エリアが狭くなるので、通信距離が短くなってしまう。
【０００７】
一方、情報読取書込装置２０を使用するユーザは、情報読取書込装置２０のアンテナ２２が設けられた側の、通信エリアの狭い短辺の中心が、無線タグ１４の表面上の中心付近と一致するように近づけることが多いため、情報読取書込装置２０と無線タグ１４をより近づけないと通信ができずに不快感をもってしまうという問題が発生する。
【０００８】
【特許文献１】
特開２００１−７９４８号公報
【０００９】
【発明が解決しようとする課題】
上記従来の技術の問題点に鑑み、本発明が解決しようとする課題は、ユーザが容易に無線タグと通信することができる情報読取書込装置を提供することを目的とする。
【００１０】
【課題を解決するための手段】
このような課題を解決するために第１の本発明の情報読取書込装置は携帯型の筐体と、前記筐体内に筐体の長手方向の端部近傍に設け、無線タグと通信を行うアンテナとを有し、前記アンテナは導体を前記筐体の長手方向に巻回して構成している。
【００１１】
第２の本発明の情報読取書込装置は、携帯型の筐体と、前記筐体内に筐体の長手方向の端部近傍に設け、無線タグと通信を行うアンテナとを有し、前記アンテナは導体を前記筐体の長手方向に巻回して構成するとともに、筐体の端面と略平行に配置している。
【００１２】
第３の本発明の情報読取書込装置は、携帯型の筐体と、前記筐体内に筐体の長手方向の端部近傍に設け、無線タグと通信を行うアンテナとを有し、前記筐体に照明部を備えている。
【００１３】
第４の本発明の情報読取書込装置は、携帯型の筐体と、前記筐体内に筐体の長手方向の端部近傍に設け、無線タグと通信を行うアンテナとを有し、アンテナと磁気結合し、照明部に電力を供給する導体を備えている。
【００１４】
第５の本発明の情報読取書込装置は、照明部を、筐体のアンテナが設けられた側の端部に設けている。
【００１５】
【発明の実施の形態】
（実施の形態１）
図１は、本発明の実施の形態１における情報読取書込装置の構成を示すブロック図である。図１に示すように、本発明の情報読取書込装置１３は、各部へ電源を供給する電源部７と、電源部７に電源を投入するトリガスイッチ８と、ホストとの通信を行うＨＯＳＴ  Ｉ／Ｆ部９と、情報読取書込装置１３の各種制御を行う制御部１０と、制御部１０で発生した送信信号により変調を行う送信部１１と、送信部１１で発生した変調信号を電波として無線タグ１４へ発射し、さらに無線タグ１４から発射された電波を受信する、導体２ａを巻回したアンテナ２と、アンテナ２で受信した無線タグ１４からの受信電波を検波し復調する受信部１２とを備え、受信部１２で復調された受信データは制御部１０で処理される。
【００１６】
そして、細長いペン形状の携帯型の筐体１に内蔵した情報読取書込装置１３は、筐体１のアンテナ２が設けられた側の端部に、筐体周辺を照射できる照明部４を備えている。
【００１７】
図２は本発明の実施の形態１における情報読取書込装置１３を内蔵したペン形状の筐体１を示す斜視図である。図２に示すように、アンテナ２は筐体１の長手方向における端部の近傍に設けられ、導体２ａを筐体１の長手方向に巻回し、筐体１の端面１ａとアンテナ２とは略平行に配置している。また、トリガスイッチ８は筐体１の任意の部分に配置可能であるが、図２では筐体１のほぼ中心に配置している。
【００１８】
上記実施の形態の情報読取書込装置１３について、その動作を説明する。無線タグ１４から情報を読み取る場合、まずトリガスイッチ８を、例えば押下するなどしてＯＮにして電源部７をＯＮにし、電源部７がＯＮすることで制御部１０が情報出力要求を送信信号として発生し、前記送信信号を送信部１１で変調を行い、アンテナ２より無線タグ１４へ電波を発射させる。
【００１９】
無線タグ１４は情報出力要求を受信すると、要求された情報を電波として情報読取書込装置１３へ返送する。そして、情報読取書込装置１３はアンテナ２で受信した受信電波を受信部１２で復調し、復調した無線タグ１４の情報は制御部１０へ送られ、制御部１０において前記情報の処理が行われ、制御部１０で処理された情報はＨＯＳＴ  Ｉ／Ｆ部９によりＨＯＳＴへ伝達される。また、制御部１０はトリガスイッチ８がＯＮされたとき、照明部４の電源をＯＮにする。
【００２０】
無線タグ１４へ情報を書き込む場合は、制御部１０が情報書込要求を送信信号として発生し、無線タグ１４は前記情報書込要求に基づいて情報を書き込み、書き込み成功信号を情報読取書込装置１３へ返信する。その他の動作は上記に説明した無線タグ１４の情報を読み取る場合と同様の動作をするので省略する。
【００２１】
図４は、本発明の実施の形態１における情報読取書込装置１３の通信エリアを示す図である。アンテナ２は図２に示すように導体２ａを筐体１の長手方向に巻回しているため、筐体１のアンテナ２が設けられた側の短辺の中心から最も強く磁界を発生する。
【００２２】
したがって、図３に示されるアンテナ３０の指向性から明らかなように、図４に示すようにアンテナ２が内蔵されている筐体１で短辺の中心部分の通信距離が最も長くなり、無線タグ１４との通信が容易になる。さらに、筐体１がペン形状としているので手持ちにしたときにも持ちやすくなる。
【００２３】
また、照明部４は、筐体１のアンテナ２が設けられた側の端部に備えているので、照明部４が無線タグ１３の存在する付近を照射することができる。したがって、例えば無線タグ１３が暗い場所に埋め込まれている場合にも、容易に無線タグ１４へ情報読取書込装置１３を容易に近づけることができるため、無線タグ１４と容易に通信を行うことができる。
【００２４】
（実施の形態２）
図５は、本発明の実施の形態２における情報読取書込装置１３ａの構成を示すブロック図である。本実施の形態は、実施の形態１と同様の構成並びに作用効果を奏する部分については同一の符号を付して詳細な説明を省略し、異なるところを中心に説明する。
【００２５】
図５に示すように、アンテナ２から発射される電波と磁気結合可能なようにアンテナ２に巻回された導体５と、導体５に誘起された電圧を整流する整流部６を有し、照明部４への電力は整流部６を介して導体５より供給するものである。
【００２６】
上記実施の形態において、導体５に電圧が誘導されるのは、アンテナ２より電波が発射されている時だけであり、何かの原因でアンテナ２より電波が発射されていない時は、照明部４は照射されない。したがって、照明部４は無線タグ１４の照明だけでなく、情報読取書込装置１３ａの故障時の判別にも使用することができる。
【００２７】
なお、本実施の形態における情報読取書込装置１３ａも、実施の形態１で説明した情報読取書込装置１３と同様に筐体１との関係を保って内蔵されているものである。
【００２８】
【発明の効果】
以上のように本発明の情報読取書込装置は、筐体のアンテナを内蔵している側の短辺の中心付近が、最も強い磁界を発生させることができ、ユーザは容易に無線タグと通信することができる。
【図面の簡単な説明】
【図１】本発明の実施の形態１における情報読取書込装置の構成を示すブロック図
【図２】本発明の実施の形態１における情報読取書込装置を内蔵した筐体を示す斜視図
【図３】アンテナの指向性を示す図
【図４】本発明の実施の形態１における情報読取書込装置の通信エリアを示す図
【図５】本発明の実施の形態２における情報読取書込装置の構成を示すブロック図
【図６】従来の情報読取書込装置の構成を示すブロック図
【図７】従来の情報読取書込装置の筐体を示す斜視図
【図８】従来の情報読取書込装置の通信エリアを示す図
【符号の説明】
１    筐体
１ａ  端面
２    アンテナ
２ａ、５  導体
４    照明部
１３、１３ａ  情報読取書込装置
１４  無線タグ
【図１】
2004171348.tif 000003
【図２】
2004171348.tif 000004
【図３】
2004171348.tif 000005
【図４】
2004171348.tif 000006
【図５】
2004171348.tif 000007
【図６】
2004171348.tif 000008
【図７】
2004171348.tif 000009
【図８】
2004171348.tif 000010